(57)【要約】【課題】  送信先として記憶しているアドレス情報を有効に利用すること。【解決手段】  携帯電話機は、現在位置情報を取得する位置検出部（Ｓ０２）と、位置を示す位置情報と送信先を示すアドレス情報とを対応付けたアドレスデータを記憶するＥＥＰＲＯＭと、位置検出部により検出された現在位置情報から所定の範囲内に位置する位置情報に対応付けて記憶されているアドレス情報を抽出する抽出部（Ｓ０３）と、抽出部により抽出された少なくとも１つのアドレス情報が示す送信先に、固定メッセージを送信するメッセージ送信部（Ｓ０８）と、を備える。【選択図】        図７
2009088890.tif 000002
【特許請求の範囲】
【請求項１】
現在の位置を示す現在位置情報を取得する現在位置情報取得手段と、
位置を示す位置情報と送信先を示すアドレス情報とを対応付けたアドレスデータを記憶するアドレスデータ記憶手段と、
前記現在位置情報取得手段により取得された現在位置情報から所定の範囲内に位置する位置情報と対応付けて記憶されるアドレス情報を抽出する抽出手段と、
前記抽出手段により抽出された少なくとも１つのアドレス情報が示す送信先へ所定のメッセージを送信する送信手段と、を備えた携帯端末。
【請求項２】
前記抽出手段により抽出された少なくとも１つの前記アドレス情報のうちから少なくとも１つを選択する選択手段をさらに備え、
前記送信手段は、前記選択手段により選択された少なくとも１つの前記アドレス情報がそれぞれ示す少なくとも１つの送信先へ前記所定のメッセージを送信する、請求項１に記載の携帯端末。
【請求項３】
ユーザによる操作を受け付ける操作受付手段をさらに備え、
前記抽出手段は、前記操作受付手段により所定の操作が受け付けられた場合に、前記アドレス情報を抽出する、請求項１または２に記載の携帯端末。
【請求項４】
所定の距離以上の移動を検出する移動距離検出手段と、
移動速度を検出する移動速度検出手段と、をさらに備え、
前記抽出手段は、所定の距離以上の移動が検出された後に検出された移動速度が所定の速度以下の場合に、前記アドレス情報を抽出する、請求項１に記載の携帯端末。
【請求項５】
位置を示す位置情報と送信先を示すアドレス情報とを対応付けたアドレスデータを記憶するステップと、
現在の位置を示す現在位置情報を取得するステップと、
取得された現在位置情報から所定の範囲内に位置する位置情報と対応付けて記憶されるアドレス情報を抽出するステップと、
抽出された少なくとも１つのアドレス情報が示す送信先へ所定のメッセージを送信するステップと、を含むメッセージ通知方法。
【請求項６】
位置を示す位置情報と送信先を示すアドレス情報とを対応付けたアドレスデータを記憶するステップと、
現在の位置を示す現在位置情報を取得するステップと、
取得された現在位置情報から所定の範囲内に位置する位置情報と対応付けて記憶されるアドレス情報を抽出するステップと、
抽出された少なくとも１つのアドレス情報が示す送信先へ所定のメッセージを送信するステップと、をコンピュータに実行させるメッセージ通知プログラム。
【発明の詳細な説明】
【技術分野】
【０００１】
この発明は、携帯端末、メッセージ通知方法およびメッセージ通知プログラムに関し、特に電子メールなどのメッセージを送信する携帯端末、その携帯端末で実行されるメッセージ通知方法およびメッセージ通知プログラムに関する。
【背景技術】
【０００２】
近年、携帯電話機で代表される携帯機器は、電子メールの送受信が可能であり、電子メールの送信先の電子メールアドレスを記憶するアドレス帳を記憶している。アドレス帳に登録される電子メールの数が増えると、所望の電子メールアドレスを探し出すのに時間がかかるといった問題がある。
【０００３】
この問題に対応して、特開２００４−３５７１４２号公報（特許文献１）には、発着信時、電話帳データの発着信日記憶領域に発着信が行われた日時を記憶し、電話帳の検索時、各電話帳データの発着信日記憶領域に記憶されている日時が、基準となる日時以前である場合、当該電話帳データは、長期間使用されていないデータとして表示を行わず、検索結果から削除し、検索結果として表示される電話帳データの件数を削減し、又は発着信日記憶領域に記憶されている日時が基準となる日時以前の場合のみ検索結果として表示することにより、長期間使用されていない電話帳データのみを表示し、不要な電話帳データの削除等の電話帳データの整理を容易にする通信端末装置が記載されている。
【０００４】
しかしながら、使用されない電子メールアドレスは、検索により抽出されたとしても表示されないため、いつまでたっても使用されることがなくなってしまうといった問題がある。
【特許文献１】特開２００４−３５７１４２号公報
【発明の開示】
【発明が解決しようとする課題】
【０００５】
この発明は上述した問題点を解決するためになされたもので、この発明の目的の１つは、送信先として記憶しているアドレスを有効に利用することが可能な携帯端末を提供することである。
【０００６】
この発明の他の目的は、送信先として記憶しているアドレス情報を有効に利用することが可能なメッセージ通知方法を提供することである。
【０００７】
この発明の他の目的は、送信先として記憶しているアドレス情報を有効に利用することが可能なメッセージ通知プログラムを提供することである。
【課題を解決するための手段】
【０００８】
上述した目的を達成するためにこの発明のある局面によれば、携帯端末は、現在の位置を示す現在位置情報を取得する現在位置情報取得手段と、位置を示す位置情報と送信先を示すアドレス情報とを対応付けたアドレスデータを記憶するアドレスデータ記憶手段と、現在位置情報取得手段により取得された現在位置情報から所定の範囲内に位置する位置情報と対応付けて記憶されるアドレス情報を抽出する抽出手段と、抽出手段により抽出された少なくとも１つのアドレス情報が示す送信先へ所定のメッセージを送信する送信手段と、を備える。
【０００９】
この局面に従えば、現在位置を示す現在位置情報が取得されると、取得された現在位置情報から所定の範囲内に位置する位置情報と対応付けて記憶されるアドレス情報が抽出され、抽出された少なくとも１つのアドレス情報が示す送信先へ所定のメッセージが送信される。現在位置情報から所定の範囲内に位置する位置情報と対応付けて記憶されたアドレス情報が示す送信先へメッセージが送信されるので、送信先を選択することなく、メッセージを送信することができる。その結果、送信先として記憶しているアドレス情報を有効に利用することが可能な携帯端末を提供することができる。
【００１０】
好ましくは、抽出手段により抽出された少なくとも１つのアドレス情報のうちから少なくとも１つを選択する選択手段をさらに備え、送信手段は、選択手段により選択された少なくとも１つのアドレス情報がそれぞれ示す少なくとも１つの送信先へ所定のメッセージを送信する。
【００１１】
好ましくは、ユーザによる操作を受け付ける操作受付手段をさらに備え、抽出手段は、操作受付手段により所定の操作が受け付けられた場合に、アドレス情報を抽出する。
【００１２】
好ましくは、所定の距離以上の移動を検出する移動距離検出手段と、移動速度を検出する移動速度検出手段と、をさらに備え、抽出手段は、所定の距離以上の移動が検出された後に検出された移動速度が所定の速度以下の場合に、アドレス情報を抽出する。
【００１３】
この発明の他の局面によれば、メッセージ通知方法は、位置を示す位置情報と送信先を示すアドレス情報とを対応付けたアドレスデータを記憶するステップと、現在の位置を示す現在位置情報を取得するステップと、取得された現在位置情報から所定の範囲内に位置する位置情報と対応付けて記憶されるアドレス情報を抽出するステップと、抽出された少なくとも１つのアドレス情報が示す送信先へ所定のメッセージを送信するステップと、を含む。
【００１４】
この局面に従えば、送信先として記憶しているアドレス情報を有効に利用することが可能なメッセージ通知方法を提供することができる。
【００１５】
この発明のさらに他の局面によれば、メッセージ通知プログラムは、位置を示す位置情報と送信先を示すアドレス情報とを対応付けたアドレスデータを記憶するステップと、現在の位置を示す現在位置情報を取得するステップと、取得された現在位置情報から所定の範囲内に位置する位置情報と対応付けて記憶されるアドレス情報を抽出するステップと、抽出された少なくとも１つのアドレス情報が示す送信先へ所定のメッセージを送信するステップと、をコンピュータに実行させる。
【００１６】
この局面に従えば、送信先として記憶しているアドレス情報を有効に利用することが可能なメッセージ通知プログラムを提供することができる。
【発明を実施するための最良の形態】
【００１７】
以下、本発明の実施の形態について図面を参照して説明する。以下の説明では同一の部品には同一の符号を付してある。それらの名称および機能も同じである。したがってそれらについての詳細な説明は繰返さない。
【００１８】
＜第１の実施の形態＞
図１は、本発明の実施の形態の１つにおける携帯電話機の外観を示す斜視図である。携帯電話機は、携帯通信端末の一例である。図１（Ａ）は、オープンスタイルの携帯電話機の外観を示し、図１（Ｂ）はクローズスタイルの携帯電話機の外観を示す。図１（Ａ）および図１（Ｂ）を参照して、携帯電話機１は、操作側部３と、表示側部２とを含む。
【００１９】
操作側部３は、電源キー１４Ａ、テンキーおよび通話キー等を含む操作キー１４と、マイクロフォン１３とが内側面に配置される。表示側部２は、液晶表示装置（ＬＣＤ）１５と、レシーバを構成する第１スピーカ１１と、カメラ２４とが内側面に配置され、小型ＬＣＤ１５Ａと、第２スピーカ１２とが外側面に配置される。
【００２０】
なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。
【００２１】
操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００２２】
図２は、本実施の形態における携帯電話機の機能の一例を示す機能ブロック図である。図２を参照して、携帯電話機１は、携帯電話機１の全体を制御するための制御部２１と、アンテナ２２Ａと接続された通信回路２２と、音声データを処理するためのコーデック部２８と、それぞれがコーデック部２８に接続されたマイクロフォン１３、第１スピーカ１１および第２スピーカ１２と、カメラ２４と、ユーザの操作の入力を受付ける操作キー１４と、赤外線通信部１９と、通信インターフェース（Ｉ／Ｆ）２６と、ＬＣＤ１５の表示を制御するための表示制御部３０と、制御部２１で実行するためのプログラム等を記憶するためのＲＯＭ（Ｒｅａｄ  Ｏｎｌｙ  Ｍｅｍｏｒｙ）３１と、制御部２１の作業領域として使用されるＲＡＭ（Ｒａｎｄｏｍ  Ａｃｃｅｓｓ  Ｍｅｍｏｒｙ）３２と、データやアプリケーションプログラム等を不揮発的に記憶するＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）３３と、カードインターフェース（Ｉ／Ｆ）２７と、ＧＰＳ（Ｇｌｏｂａｌ  Ｐｏｓｉｔｉｏｎｉｎｇ  Ｓｙｓｔｅｍ）センサ３８と、携帯電話機１の全体に電力を供給するためのバッテリ３５と、外部電源と接続される外部電源端子３７と、を含む。
【００２３】
通信回路２２は、携帯電話機１をネットワークに接続する。ネットワークは、ここでは、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）の通信方式のネットワークである。通信回路２２は、Ｗ−ＣＤＭＡのネットワークに接続された基地局装置と無線通信する。基地局装置が送信する無線信号は、アンテナ２２Ａにより受信される。第１の通信回路２２は、アンテナ２２Ａにより受信された無線信号が入力され、無線信号を復調した信号を制御部２１に出力する。無線信号を復調した信号が音声信号の場合、制御部２１は、音声信号をコーデック部２８に出力する。
【００２４】
通信回路２２は、制御部２１から送信信号が入力されると、その信号を変調した無線信号をアンテナ２２Ａに出力する。制御部２１は、コーデック部２８から音声信号が入力されると、音声信号を第１の通信回路２２に出力する。アンテナ２２Ａから送信される無線信号は、Ｗ−ＣＤＭＡの基地局装置で受信される。
【００２５】
コーデック部２８は、制御部２１から入力される音声信号を復号し、復号したデジタルの音声信号をアナログに変換し、増幅し、第１スピーカ１１または第２スピーカ１２に出力する。また、コーデック部２８は、マイクロフォン１３からアナログの音声信号が入力され、音声信号をデジタルに変換し、符号化し、そして符号化した音声信号を制御部２１に出力する。
【００２６】
ユーザが操作キー１４を操作することにより、携帯電話機１がハンズフリーモードに設定される。また、携帯電話機１がオープンスタイルで通話状態のときハンズフリーモードに設定されていなくても、携帯電話機１の状態がクローズスタイルに変化すると、制御部２１は、ハンズフリーモードに設定する。このため、コーデック部２８は、携帯電話機１がオープンスタイルで通話状態のときハンズフリーモードに設定されていなければ、音声信号を第１スピーカ１１に出力するが、携帯電話機１の状態がクローズスタイルに変化すると音声信号を第２スピーカ１２に出力する。
【００２７】
表示制御部３０は、制御部２１により制御され、制御部２１から入力される指示に従ってＬＣＤ１５を制御して、ＬＣＤ１５に操作画面または画像を表示させる。ＬＣＤ１５に表示させる画像は、動画像と静止画像とを含む。また、表示制御部３０は、小型ＬＣＤ１５Ａを制御する。
【００２８】
カードＩ／Ｆ２７には、着脱可能なフラッシュメモリ２７Ａが装着される。制御部２１は、カードＩ／Ｆ２７を介して、フラッシュメモリ２７Ａにアクセスが可能である。なお、ここでは制御部２１が実行するためのプログラムをＲＯＭ３１に記憶しておく例を説明するが、プログラムをフラッシュメモリ２７Ａに記憶しておき、フラッシュメモリ２７Ａからプログラムを読み出して、制御部２１が実行するようにしてもよい。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等でもよい。
【００２９】
また、携帯電話機１をインターネットに通信回路２２を介して接続し、インターネットに接続されたコンピュータからプログラムをダウンロードして、制御部２１が実行するようにしてもよい。ここでいうプログラムは、制御部２１が直接実行可能なプログラムだけでなく、ソースプログラム、圧縮処理されたプログラム、暗号化されたプログラム等を含む。
【００３０】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。
【００３１】
赤外線通信部１９は、赤外線を媒体としてデータを送受信する。なお、ここでは、赤外線を媒体としてデータを送受信する例を示したが、例えば、ＩｒＤＡ（Ｉｎｆｒａｒｅｄ  Ｄａｔａ  Ａｓｓｏｃｉａｔｉｏｎ）規格等の電磁波を用いた無線通信により外部の機器と通信するようにしてもよい。
【００３２】
通信Ｉ／Ｆ２６は、携帯電話機１をコンピュータと接続するためのインターフェースである。通信Ｉ／Ｆ２６は、シリアルインターフェースであってもよいし、パラレルインターフェースであってもよい。通信Ｉ／Ｆ２６に通信ケーブルを介して外部のコンピュータが接続されると、制御部２１は外部のコンピュータと通信することが可能となる。
【００３３】
ＧＰＳセンサ３８は、全地球測位システム（ＧＰＳ）におけるＧＰＳ衛星からの電波を受信し、現在の地図上の位置を示す信号を制御部２１に出力する。
【００３４】
バッテリ３５は、リチウムポリマ電池、ニッカド電池またはニッケル水素電池等の二次電池であり、携帯電話機１の全体に電力を供給する。外部電源端子３７は、外部電源と接続され、外部電源から供給される電力を携帯電話機１の全体に供給する。外部電源は、商用電源に接続されたＡ／Ｃアダプタ、またはＵＳＢケーブルで接続されたパーソナルコンピュータ等のＵＳＢ機器である。外部電源端子３７に外部電源が接続されている場合、携帯電話機１は、バッテリ３５よりも優先して、外部電源から供給される電力を消費する。
【００３５】
図３は、第１の実施の形態における携帯電話機が備える制御部の機能の概要をＥＥＰＲＯＭ３３に記憶するデータとともに示す機能ブロック図である。図３を参照して、ＥＥＰＲＯＭ３３には、アドレス帳７１が記憶される。アドレス帳７１は、少なくとも１つのアドレスデータを含み、アドレスデータは、位置を示す位置情報と送信先を示すアドレス情報とを対応付ける。
【００３６】
図４は、アドレスデータのフォーマットの一例を示す図である。図４を参照して、アドレスデータは、氏名の項目と、送信先アドレスの項目と、住所の項目と、ＧＰＳ情報の項目とを含む。氏名の項目は、個人を識別するための氏名等の識別情報が設定される。なお、氏名の項目は、個人を識別可能な情報であれば、コード等であってもよい。送信先アドレスの項目は、氏名の項目に設定された識別情報で識別される個人に割り当てられた送信先を示すアドレス情報が設定される。ここでは、送信先を示すアドレス情報に電子メールアドレスを用いている。なお、電子メールアドレスに代えて、またはそれに加えて、例えば、携帯電話機に割り当てられたメッセージアドレス、電話番号を含むアドレス等であってもよい。住所の項目は、氏名の項目に設定された識別情報で識別される個人が居住する住所が設定される。なお、住所に代えて、またはそれに加えて郵便番号であってもよい。ＧＰＳ情報の項目は、氏名の項目に設定された識別情報で識別される個人が居住する位置のＧＰＳ情報が設定される。ＧＰＳ情報は、緯度および経度である。以下、位置情報は、郵便番号、住所およびＧＰＳ情報を含む。
【００３７】
図３に戻って、制御部２１は、アドレス帳７１に登録するためのアドレスデータを生成するアドレスデータ生成部５１と、現在の位置を示す現在位置情報を取得するための位置検出部５３と、取得された現在位置情報に基づいてアドレス帳からアドレスデータを抽出する抽出部５５と、抽出されたアドレスデータのうちからいずれかを選択する選択部５７と、選択されたアドレスデータに含まれるアドレス情報宛に所定のメッセージを送信するメッセージ送信部５９と、を含む。
【００３８】
アドレスデータ生成部５１は、ユーザが操作キー１４を操作することにより入力される情報に基づいて、アドレスデータを生成し、生成したアドレスデータをＥＥＰＲＯＭ３３に記憶されるアドレス帳７１に追加する。アドレスデータ生成部は、氏名と、住所と、電子メールアドレスが入力されると、それらを氏名の項目と、住所の項目と、送信先アドレスの項目にそれぞれ設定する。なお、送信先アドレスの項目には、既に受信された電子メールに含まれる電子メールアドレスが指定された場合には、その電子メールアドレスを設定するようにしてもよい。さらに、アドレスデータ生成部５１は、赤外線通信部１９が、他の携帯電話機から受信するアドレスデータをアドレス帳７１に追加する。
【００３９】
また、アドレスデータ生成部５１は、ＥＥＰＲＯＭ３３に記憶されるアドレス帳７１に含まれるアドレスデータを編集する。具体的には、アドレスデータにＧＰＳ情報を追加する。アドレスデータ生成部５１は、アドレスデータが選択された状態で、ユーザが操作キー１４にＧＰＳ情報の取得を指示する操作を入力すると、ＧＰＳセンサ３８が衛星から受信する信号に基づいて、緯度と経度とを取得し、取得した緯度と経度とを選択されているアドレスデータのＧＰＳ情報の項目に設定する。携帯電話機１を携帯するユーザが、アドレスデータの住所の位置に存在するときに有効である。なお、アドレスデータ生成部５１は、ＧＰＳセンサ３８が衛星から受信する信号から緯度と経度とを算出してもよいし、ＧＰＳセンサ３８が出力する信号を、インターネットに接続されたサーバに送信し、そのサーバが返信する緯度と経度とを受信するようにしてもよい。
【００４０】
また、アドレスデータ生成部５１は、ＥＥＰＲＯＭ３３に記憶されるアドレス帳７１に含まれるアドレスデータを編集する際、インターネットに接続されたサーバに、住所を送信し、その住所のＧＰＳ情報をサーバから受信し、受信したＧＰＳ情報をＧＰＳ情報の項目に設定するようにしてもよい。
【００４１】
位置検出部５３は、ユーザがメッセージを送信するためのメッセージ通知指示を操作キー１４に入力すると、現在の位置を示す現在位置情報を取得する。位置検出部５３は、取得した現在位置情報を抽出部５５に出力する。位置検出部５３は、ＧＰＳセンサ３８が衛星から受信する信号に基づいて、位置情報としての緯度と経度とを取得する。なお、位置検出部５３は、ＧＰＳセンサ３８が衛星から受信する信号から緯度と経度とを算出してもよいし、ＧＰＳセンサ３８が出力する信号を、インターネットに接続されたサーバに送信し、サーバが返信する緯度と経度とを受信するようにしてもよい。
【００４２】
抽出部５５は、位置検出部５３から入力される現在位置情報で特定される位置から所定の範囲に含まれる位置を示す位置情報を含むアドレスデータをアドレス帳７１に含まれるアドレスデータのうちから抽出する。そして、抽出したアドレスデータを含む近隣者リストを生成し、ＲＡＭ３２に一時的に記憶する。所定の範囲は、予め決められた距離の範囲内であり、例えば、５０ｋｍである。位置検出部５３から入力される現在位置情報（緯度と経度）と、アドレスデータに設定されているＧＰＳ情報（緯度と経度）とから２点間の距離を求め、求めた距離が、５０ｋｍ以下であれば、そのアドレスデータを抽出する。抽出部５５は、抽出したアドレスデータを含む近隣者リストを選択部５７に出力する。抽出部５５は、複数のアドレスデータを抽出した場合、抽出した複数のすべてのアドレスデータを含む近隣者リストを選択部５７に出力する。
【００４３】
選択部５７は、抽出部５５から入力される近隣者リストに含まれるアドレスデータのうちからいずれかを選択する。具体的には、アドレスデータに設定されている氏名を含み、選択を受け付けるための選択画面を表示部制御部３０に出力し、ＬＣＤ１５に表示させる。そして、選択部５７は、ユーザが操作キー１４を用いてＬＣＤ１５に表示された氏名を選択する指示を入力すると、氏名の選択を受け付ける。選択部５７は、操作キー１４に入力された指示により特定される氏名を含むアドレスデータを選択する。選択部５７は、選択したアドレスデータをメッセージ送信部５９に出力する。選択部５７は、複数の氏名を選択する指示が入力される場合は、指示された複数の氏名をそれぞれ含む複数のアドレスデータを選択し、選択した複数のアドレスデータをメッセージ送信部５９に出力する。
【００４４】
図５は、選択画面の一例を示す図である。図５を参照して、選択画面は、３人の氏名を表示し、選択を受け付ける画面示している。具体的には、３人の氏名として「三洋さん」、「国立さん」、「宮井さん」が表示され、各氏名の左側にチェックボックスが表示される。ユーザが操作キー１４を操作して、チェックボックをチェックするための操作を入力すると、チェックボックスに印が付される。選択部５７は、チェックされたチェックボックスに対応する氏名を選択する。
【００４５】
図３に戻って、メッセージ送信部５９は、選択部５７から入力されるアドレスデータの送信先アドレスの項目に設定されている電子メールアドレスを宛先とし、予め定められたメッセージ（固定メッセージ）を含む電子メールを生成する。そして、メッセージ送信部５９は、生成した電子メールを送信する。具体的には、通信回路２２を制御して、電子メールを電子メールサーバに送信させる。
【００４６】
図６は、固定メッセージの一例を示す図である。図６（Ａ）は、ビジネス用に予め定められた固定メッセージを示し、図６（Ｂ）は、プライベート用に予め定められた固定メッセージを示す。図６（Ａ）において、「ＸＸＸ様」の部分の「ＸＸＸ」にはアドレスデータの氏名の項目の設定値に置き換えられる。ビジネス用またはプライベート用のいずれの固定メッセージを用いるかは、アドレスデータに予め設定しておけばよい。なお、ここでは、ビジネス用とプライベート用との２種類の固定メッセージを用いる例を示したが、より多くの種類の固定メッセージを予め定めるようにしてもよい。また、電子メールを送信する前に、固定メッセージをユーザが編集することができるようにしてもよい。
【００４７】
図７は、メッセージ通知処理の流れの一例を示す第１のフローチャートである。メッセージ通知処理は、制御部２１がメッセージ通知プログラムを実行することにより、制御部２１により実行される処理である。図７を参照して、制御部２１は、操作キー１４にメッセージを送信するためのメッセージ通知指示が入力されたか否かを判断する（ステップＳ０１）。メッセージ通知指示が入力されるまで待機状態となり（ステップＳ０１でＮＯ）、メッセージ通知指示が入力されると（ステップＳ０１でＹＥＳ）、処理をステップＳ０２に進める。すなわち、メッセージ通知処理は、メッセージ通知指示が入力されることを条件に実行される処理である。操作キー１４にメッセージ通知指示を入力するためのキーを予め設けておき、そのキーの押下を検出すると、メッセージ通知指示が入力されたと判断する。
【００４８】
ステップＳ０２においては、現在の位置を示す現在位置情報を取得する。ＧＰＳセンサ３８が衛星から受信する信号に基づいて、位置情報としての緯度と経度とを取得する。
【００４９】
そして、近隣者リスト作成処理を実行する（ステップＳ０３）。近隣者リスト作成処理については後述するが、現在位置情報で示される位置から所定の距離の範囲内、ここでは５０ｋｍ以内に住所が存在する者のアドレスデータを含む近隣者リストを生成する処理である。
【００５０】
次のステップＳ０４においては、近隣者が存在するか否かを判断する。ステップＳ０３において生成された近隣者リストにアドレスデータが１以上含まれていれば近隣者が存在すると判断する。近隣者が存在すれば処理をステップＳ０５に進め、そうでなければ処理をステップＳ１０に進める。ステップＳ１０においては、近隣者なしをＬＣＤ１５に表示し、処理を終了する。
【００５１】
ステップＳ０５においては、警告音を鳴動し、近隣者リストをＬＣＤ１５に表示する。具体的には、第２スピーカ１２からブザー音を発生させるとともに、図５に示した選択画面をＬＣＤ１５に表示する。これにより、アドレス帳に登録された者のうちで住所が現在の位置から５０ｋｍ以内にある者が存在することを携帯電話機１のユーザに知らせることができる。また、選択画面は、近隣者リストに含まれるアドレスデータの氏名の項目に設定された氏名を含むので、住所が現在の位置から５０ｋｍ以内にある者の氏名を確認することができる。
【００５２】
次に、選択画面に表示された氏名の少なくとも１つが選択されたか否かを判断する（ステップＳ０６）。ユーザが操作キー１４を用いてＬＣＤ１５に表示された氏名を選択する指示を入力すると、氏名の選択を受け付ける。複数の氏名を選択する指示が入力される場合は、指示された複数の氏名の選択を受け付ける。そして、選択された氏名を含むアドレスデータをアドレス帳７１から抽出する。選択画面に表示された氏名の少なくとも１つが選択されたならば処理をステップＳ０７に進めるが、そうでなければ処理を終了する。
【００５３】
ステップＳ０７においては、操作キー１４に予め設けられた「送信」ボタンが押下されたか否かを判断する。「送信」ボタンが押下されると処理をステップＳ０８に進めが、そうでなければ処理をステップＳ０６に戻す。ユーザの指示に基づいて電子メールを送信するためである。例えば、「送信」ボタンとは別に設けられた「キャンセル」ボタンが押下された場合に、処理を終了するようにしてもよい。この場合には、氏名を選択した後に電子メールを送信しないようにすることができる。
【００５４】
ステップＳ０８においては、固定メッセージを送信する。具体的には、ステップＳ０６において、選択されたアドレスデータの送信先アドレスの項目に設定されている電子メールアドレスを宛先とし、図６（Ａ）または図６（Ｂ）に示した固定メッセージを含む電子メールを生成する。そして、生成した電子メールを、通信回路２２を介して電子メールサーバに送信する。
【００５５】
そして、送信が完了したことを示す「送信完了」のメッセージをＬＣＤ１５に表示する（ステップＳ０９）。固定メッセージを送信したことを携帯電話機１のユーザに知らせることができる。
【００５６】
図８は、近隣者リスト作成処理の流れの一例を示すフローチャートである。近隣者リスト作成処理は、図７のステップＳ０３において実行される処理である。図８を参照して、制御部２１は、ＥＥＰＲＯＭ３３に記憶されているアドレス帳７１に含まれるアドレスデータのうちから１つを処理対象として選択する（ステップＳ１１）。
【００５７】
そして、選択したアドレスデータのＧＰＳ情報の項目にＧＰＳ情報が設定されているか否かを判断する（ステップＳ１２）。ＧＰＳ情報が設定されていれば処理をステップＳ１４に進めるが、そうでなければ処理をステップＳ１３に進める。ステップＳ１３においては、選択したアドレスデータの住所の項目に設定されている住所から緯度と経度とを位置情報として取得し、処理をステップＳ１５に進める。インターネットに接続されたサーバに住所を送信し、サーバが返信する緯度と経度とを受信する。一方、ステップＳ１４においては、選択したアドレスデータのＧＰＳ情報の項目に設定されている緯度と経度とを位置情報として取得し、処理をステップＳ１５に進める。
【００５８】
ステップＳ１５においては、現在の位置からの距離を算出する。ステップＳ１３またはステップＳ１４において取得した緯度および経度とで定まる位置と、図７のステップＳ０２において取得した位置情報で定まる位置との間の距離Ｌを算出する。そして、算出した距離Ｌが予め定めた距離、ここでは５０ｋｍ以下であるか否かを判断する。距離Ｌが５０ｋｍ以下ならば処理をステップＳ１７に進め、そうでなければステップＳ１７をスキップして処理をステップＳ１８に進める。
【００５９】
ステップＳ１７においては、ステップＳ１１において処理対象に選択したアドレスデータを近隣者リストに登録し、処理をステップＳ１８に進める。
【００６０】
ステップＳ１８においては、アドレス帳７１に処理対象として選択していないアドレスデータが存在するか否かを判断する。選択していないアドレスデータが存在しなければ処理をメッセージ通知処理に戻すが、選択していないアドレスデータが存在すれば処理をステップＳ１１に戻す。
【００６１】
なお、上述した第１の実施の形態においては、選択部５７により近隣者リストのうちから選択された氏名とアドレスデータにより関連付けられたアドレス情報宛に固定メッセージを送信するようにしたが、近隣者リストに含まれるアドレスデータに設定されたアドレス情報宛に固定メッセージを送信するようにしてもよい。この場合には、選択部５７は不要である。
【００６２】
以上説明したように第１の実施の形態における携帯電話機１は、現在位置情報が取得されると、取得された現在位置情報で示される位置から所定の範囲内の位置を示す位置情報を含むアドレスデータを抽出し、少なくとも１つのアドレスデータが抽出されると、近隣者リストを生成する。そして、近隣者リストのうちからユーザが選択したアドレスデータに含まれる電子メールアドレス宛に固定メッセージを送信する。現在位置情報で示される位置から所定の範囲内の位置を示す位置情報と対応付けられた電子メールアドレス宛にメッセージが送信されるので、送信する先が自動的に選択され、メッセージを送信することができる。
【００６３】
＜第２の実施の形態＞
上述した第１の実施の形態における携帯電話機１は、ユーザが操作キー１４にメッセージの送信するためのメッセージ通知指示を入力すると、近隣者リストを生成し、電子メールを送信するようにした。第２の実施の形態における携帯電話機１は、近隣者リストを自動的に生成し、電子メールを送信する点で、第１の実施の形態における携帯電話機１と異なる。以下、第１の実施の形態における携帯電話機１と異なる点を主に説明する。
【００６４】
図９は、第２の実施の形態における携帯電話機が備える制御部の機能の概要をＥＥＰＲＯＭ３３に記憶するデータとともに示す機能ブロック図である。図９を参照して、図３に示した機能ブロック図と異なる点は、選択部５７が削除された点、抽出部５５Ａが変更された点、および基地局検出部６１および移動速度検出部６３が追加された点である。
【００６５】
基地局検出部６１は、通信回路２２が基地局から受信する情報に基づき、基地局が変更したことを検出する。具体的には、基地局から受信されるＣＢＳ（Ｃｅｌｌ  Ｂｒｏａｄｃａｓｔｉｎｇ  Ｓｅｒｖｉｃｅ）信号に基づいて、基地局が変更したことを検出する。基地局検出部６１は、通信回路２２が通信する基地局が変更したことを検出すると、変更信号を抽出部５５Ａに出力する。
【００６６】
位置検出部５３は、検出した位置情報を移動速度検出部６３および抽出部５５Ａに出力する。移動速度検出部６３は位置検出部５３から異なる時間に入力される２つの位置情報と、２つの位置情報がそれぞれ検出された時刻の差とから移動速度を検出する。第１の時刻に位置検出部５３から入力される第１の位置情報と、第２の時刻に位置検出部５３から入力される第２の位置情報とから求まる距離と、第１の時刻と第２の時刻との間の時間とから移動速度を算出する。移動速度検出部６３は、算出した移動速度を抽出部５５Ａに出力する。
【００６７】
基地局が通信可能な範囲は、数キロであるため、通信回路２２が通信する基地局が変更したことが検出されると、所定の距離以上を移動したことを検出することができる。１回の基地局の変更ではなく、２回以上の基地局の変更を検出するようにしてもよい。２回以上の基地局の変更を検出するようにすれば、より長い距離以上を移動したことを検出することができる。
【００６８】
抽出部５５Ａは、基地局検出部６１から変更信号が入力された後に、移動速度検出部６３により検出された移動速度が、所定の速度以下であれば、現在位置情報で示される位置から所定の範囲内の位置を示す位置情報を含むアドレスデータをアドレス帳７１に含まれるアドレスデータのうちから抽出する。所定の速度は、歩行する速度の上限値が好ましく、例えば、時速３Ｋｍである。移動速度が所定の速度以下であることが検出されると、携帯電話機１のユーザが歩行している確率が高い。抽出部５５Ａは、アドレスデータを抽出する場合、抽出したアドレスデータをメッセージ送信部５９に出力する。
【００６９】
しかしながら、抽出部５５Ａは、基地局検出部６１から変更信号が入力された後に、移動速度検出部６３により検出された移動速度が、所定の速度より大きければアドレスデータを抽出しない。移動速度が所定の速度より大きいことが検出されると、携帯電話機１のユーザが列車等で移動中である確率が高い。
【００７０】
基地局の変更を検出することにより、所定の距離以上の移動が検出され、その後の移動速度が所定の速度以下であれば、例えば、列車等で移動後に歩行していると判断できる。一方、基地局の変更を検出することにより、所定の距離を越える移動が検出され、その後の移動速度が所定の速度より大きければ、例えば、列車に乗車中などで移動中であると判断できる。
【００７１】
メッセージ送信部５９には、携帯電話機１のユーザが列車等の交通手段で所定の距離以上の移動をした後に、電子メールを送信するので、移動後に所定の範囲に住所を有するユーザに電子メールを送信することができる。
【００７２】
図１０は、メッセージ通知処理の流れの一例を示す第２のフローチャートである。図１０を参照して、制御部２１は、通信回路２２が通信する基地局が変更されたか否かを判断する（ステップＳ２１）。基地局が変更されるまで待機状態となり（ステップＳ２１でＮＯ）、基地局が変更されると処理をステップＳ２２に進める。基地局の変更により、所定の距離以上の移動が検出される。すなわち、第２の実施の形態におけるメッセージ通知処理は、通信回路２２が通信する基地局が変更したとき、換言すれば、携帯電話機１とそのユーザが所定の距離以上を移動したときに、実行される処理である。
【００７３】
ステップＳ２２においては、現在の位置を示す位置情報を取得する。ＧＰＳセンサ３８が衛星から受信する信号に基づいて、位置情報としての緯度と経度とを取得する。次のステップＳ２３においては、所定時間経過するまで待機し（ステップＳ２３でＮＯ）、所定時間経過すると（ステップＳ２３でＹＥＳ）、処理をステップＳ２４に進める。所定時間は、ＧＰＳセンサ３８から入力される信号から算出される緯度と経度の精度により定まる。精度がよければ短くすることができる。所定時間は、例えば１０分以上とすればよい。そして、ステップＳ２４においては、ステップＳ２２と同様に現在の位置を示す位置情報を取得し、処理をステップＳ２５に進める。ステップＳ２４において取得される位置情報と、ステップＳ２２において取得される位置情報とは、取得される時刻が異なる。
【００７４】
ステップＳ２５においては、ステップＳ２４において取得される位置情報と、ステップＳ２２において取得される位置情報と、所定の時間とから移動速度を求め、しきい値Ｓと比較する。移動速度がしきい値Ｓ以下ならば処理をステップＳ２６に進め、そうでなければ処理をステップＳ２１に戻す。移動速度がしきい値Ｓ以下でなければ移動中の確率が高いからである。
【００７５】
ステップＳ２６においては、近隣者リスト作成処理を実行する。図８に示した近隣者リスト作成処理を実行する。次の、ステップＳ２７においては、近隣者が存在するか否かを判断する。ステップＳ２６において生成された近隣者リストにアドレスデータが１以上含まれていれば近隣者が存在すると判断する。近隣者が存在すれば処理をステップＳ２８に進め、そうでなければ処理を終了する。
【００７６】
ステップＳ２８においては、固定メッセージを送信する。具体的には、ステップＳ２６において生成された近隣者リストに含まれるアドレスデータの送信先アドレスの項目に設定されている電子メールアドレスを宛先とし、図６（Ａ）または図６（Ｂ）に示した固定メッセージを含む電子メールを生成する。そして、生成した電子メールを、通信回路２２を介して電子メールサーバに送信する。
【００７７】
次のステップＳ２９においては、固定メッセージの送信を完了したことを示す「送信完了」のメッセージをＬＣＤ１５に表示する。固定メッセージを送信したことを携帯電話機１のユーザに知らせることができる。これにより、アドレス帳に登録された者のうちで住所が現在の位置から５０ｋｍ以内にある者が存在すること、およびそれらの者に固定メッセージが送信されたことを携帯電話機１のユーザに知らせることができる。
【００７８】
なお、ステップＳ２３において、所定時間（１０分）離れた時刻それぞれにおける現在位置情報から移動速度を検出し、検出した移動速度がしきい値Ｓ以下ならば近隣者リストを生成するようにしたが、所定時間内で複数回移動速度を検出し、検出した複数の移動速度のすべてがしきい値Ｓ以下の場合に、近隣者リストを生成するようにしてもよい。例えば１分ごとに移動速度を検出するようにして、１０分間で検出される１０の移動速度のすべてが所定のしきい値Ｓ以下ならば、近隣者リストを生成し、固定メッセージを送信する。これにより、例えば、列車で移動中に駅構内での電車の乗り換え途中で固定メッセージが送信されてしまうことがないようにすることができる。
【００７９】
以上説明したように第２の実施の形態における携帯電話機１は、基地局の変更を検出することにより、所定の距離を越える移動を検出し、その後の移動速度が所定の速度以下であれば、取得された現在位置情報で示される位置から所定の範囲内の位置を示す位置情報を含むアドレスデータを抽出し、少なくとも１つのアドレスデータが抽出されると、近隣者リストを生成する。そして、近隣者リストに含まれるアドレスデータに設定された電子メールアドレス宛に固定メッセージを送信する。携帯電話機１のユーザが列車等の交通手段で所定の距離を越えて移動した後に、電子メールを送信するので、移動後に所定の範囲に住所を有するユーザに自動的に電子メールを送信することができる。
【００８０】
なお、本実施の形態においては、ネットワークの一例として、Ｗ−ＣＤＭＡについて説明したが、ＰＤＣ（Ｐｅｒｓｏｎａｌ  Ｄｉｇｉｔａｌ  Ｃｅｌｌｕｌａｒ）方式、ＧＳＭ（Ｇｌｏｂａｌ  Ｓｙｓｔｅｍ  ｆｏｒ  Ｍｏｂｉｌｅ）方式、ＣＤＭＡ（Ｃｏｄｅ  Ｄｉｖｉｓｉｏｎ  Ｍｕｌｔｉｐｌｅ  Ａｃｃｅｓｓ）方式のネットワーク、ＰＨＳ（Ｐｅｒｓｏｎａｌ  Ｈａｎｄｙｐｈｏｎｅ  Ｓｙｓｔｅｍ）のネットワークであってもよい。
【００８１】
また、本実施の形態においては、携帯端末の一例として携帯電話機１を例に説明したが、電子メール等のメッセージを送信する機能を有し、メッセージを送信するアドレスを記憶する機能を備えた装置であれば、例えばＰＤＡ（Ｐｅｒｓｏｎａｌ  Ｄｉｇｉｔａｌ  Ａｓｓｉｓｔａｎｔｓ）であってもよい。また、図７、図８および図１０に示したメッセージ通知処理を実行するためのメッセージ通知方法、またはメッセージ通知方法をコンピュータに実行させるためのメッセージ通知プログラムとして発明を捉えることができるのは言うまでもない。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８３】
【図１】本発明の実施の形態の１つにおける携帯電話機の外観を示す斜視図である。
【図２】本実施の形態における携帯電話機の機能の一例を示す機能ブロック図である。
【図３】第１の実施の形態における携帯電話機が備える制御部の機能の概要をＥＥＰＲＯＭに記憶するデータとともに示す機能ブロック図である。
【図４】アドレスデータのフォーマットの一例を示す図である。
【図５】選択画面の一例を示す図である。
【図６】固定メッセージの一例を示す図である。
【図７】メッセージ通知処理の流れの一例を示す第１のフローチャートである。
【図８】近隣者リスト作成処理の流れの一例を示すフローチャートである。
【図９】第２の実施の形態における携帯電話機が備える制御部の機能の概要をＥＥＰＲＯＭに記憶するデータとともに示す機能ブロック図である。
【図１０】メッセージ通知処理の流れの一例を示す第２のフローチャートである。
【符号の説明】
【００８４】
１  携帯電話機、１１  第１スピーカ、１２  第２スピーカ、１３  マイクロフォン、１４  操作キー、１５  ＬＣＤ、１９  赤外線通信部、２１  制御部、２２  通信回路、２４  カメラ、２７Ａ  フラッシュメモリ、２８  コーデック部、３０  表示制御部、３８  ＧＰＳセンサ、３１  ＲＯＭ、３２  ＲＡＭ、３３  ＥＥＰＲＯＭ、５１  アドレスデータ生成部、５３  位置検出部、５５，５５Ａ  抽出部、５７  選択部、５９  メッセージ送信部、６１  基地局検出部、６３  移動速度検出部、７１  アドレス帳。
【図１】
2009088890.tif 000003
【図２】
2009088890.tif 000004
【図３】
2009088890.tif 000005
【図４】
2009088890.tif 000006
【図５】
2009088890.tif 000007
【図６】
2009088890.tif 000008
【図７】
2009088890.tif 000009
【図８】
2009088890.tif 000010
【図９】
2009088890.tif 000011
【図１０】
2009088890.tif 000012